【手続補正書】
【提出日】平成18年11月21日(2006.11.21)
【手続補正１】
【補正対象書類名】明細書
【補正対象項目名】００２４
【補正方法】変更
【補正の内容】
【００２４】
好適な実施形態の詳細な説明
次に図２ａおよび図２ｂを参照すると、本発明を具現化する検出器が、全体として２３で示される。検出器２３は、図１のリーダと同様、コンデンサ１５’およびインダクタ１４’からなる共振回路部１１’を含む。この例において、インダクタ１４’はアンテナを含む。共振回路部１１’には、信号を所望の周波数で共振回路部１１’に供給するように動作可能な信号発生器１３’が接続される。
【手続補正２】
【補正対象書類名】明細書
【補正対象項目名】００２５
【補正方法】変更
【補正の内容】
【００２５】
共振回路部１１によって反射される電力をモニタするために、電力モニタ２５に接続された結合器２４が設けられる。誘導部１４’の付近内にタグがない場合、周波数源１３’により生じた信号は、共振回路部１１によって反射される。この反射信号の一部は結合器２４によって分配されて電力モニタ２５に送られる。
【手続補正３】
【補正対象書類名】明細書
【補正対象項目名】００２９
【補正方法】変更
【補正の内容】
【００２９】
次に図３を参照すると、本発明を具現化するメモリタグが３０で示され、読み取り／書き込みデバイスが３１で示される。タグ３０は、メモリ１８とともに、共振回路部３２および整流回路部３３を含む。共振回路部３２は、図１、図２ｂのタグ１２と同様に、並列に接続されたインダクタＬ２  ３５およびコンデンサＣ２  ３６を含む。共振回路部３２はさらに、全体として３７で示される制御可能な容量素子（図３の例ではコンデンサＣ３  ３８と、メモリ１８に接続されたリードデータライン３９ａに接続されたスイッチＳ１  ３９とからなる）を含み、共振回路部３２の共振周波数を変調する。整流部３３は、共振回路部３２に順方向バイアスで接続されたダイオードＤ１  ４０と、共振回路部３２の構成要素に並列に接続されたコンデンサＣ４  ４１とを含む。整流回路部３３は、図１の整流回路部１７と同様に半波整流器として動作し、メモリ１８に電力を供給する。タグ３０はさらに、データ書き込み回路部４２を含む。このデータ書き込み回路部４２は、共振回路部３２の出力に順方向バイアスで接続されたダイオードＤ２  ４３を含み、コンデンサＣ５  ４４および抵抗Ｒ１  ４６が共振回路部３２の構成要素に並列に接続される。したがって、本実施形態においてデータ書き込み回路部４２は、共振回路部３２によって生じた信号の大きさに応答する単純な包絡線検出器を構成するとともに、ライトデータ信号をライン４７でメモリ１８に供給する。
【手続補正４】
【補正対象書類名】明細書
【補正対象項目名】００３０
【補正方法】変更
【補正の内容】
【００３０】
読み取り／書き込みデバイス３１は、検出器２３と同様に、並列に接続されたインダクタＬ１  ５１およびコンデンサＣ１  ５２からなる共振回路部５０を含む。この共振回路部５０には、周波数発生器５３が接続される。読み取り／書き込みデバイス３１はさらに、ライトデータライン５５で送られるデータに応じて制御可能な振幅変調器５４を含む。この振幅変調器５４は、周波数発生器５３から共振回路部５０への信号の電力を制御し、よって共振回路部３２により生じた信号の電力の振幅変調を行い、その振幅変調された信号はタグ３０のデータ書き込み回路部４２によって検出され得る。
【手続補正５】
【補正対象書類名】明細書
【補正対象項目名】００３１
【補正方法】変更
【補正の内容】
【００３１】
読み取り／書き込みデバイス３１はさらに、全体として５６で示される復調器を含む。この復調器５６は、信号の一部を分配して基準信号を提供するために、周波数発生器５３に接続された分配器５７を含む。共振回路部５０から反射して戻された反射信号の一部を分配するために結合器５８が設けられる。基準信号および反射信号は、５９で示される乗算器に送られる。この乗算器５９は、反射信号と基準信号を乗算して、その出力をローパスフィルタ６０に送る。このローパスフィルタ６０は、基準信号と反射信号との間の位相差に対応する信号を出力６１に送る。メモリ１８の制御下でタグ３０のスイッチＳ１  ３９を制御することによって、共振回路部３２の共振周波数を変調することができ、よって共振回路部５０によって反射された反射信号の位相を基準信号に対して変調することができる。この位相の変化は、復調器５６によって検出されるため、読み取り／書き込みデバイス３１によってタグからデータを読み出すことができる。この方法によって、共振回路部３２によって引き出される電力に著しい影響を及ぼすことなく、タグ３０からデータを送信することができる。
【手続補正６】
【補正対象書類名】明細書
【補正対象項目名】００３２
【補正方法】変更
【補正の内容】
【００３２】
図２ａの結合器２４と同様の結合器５８に接続された電力モニタ６２が設けられる。上述のように、タグ３０は、共振回路部３２によって引き出される電力を著しく変化させることなく変調信号を読み取り／書き込みデバイスに供給するように動作可能であるため、共振回路部５０からの反射信号の振幅は、主にタグ３０により引き出される電力によって決まり、スイッチＳ１の動作による反射信号の変調には関係しない。したがって、電力モニタ６２は、共振回路部５０によって反射された信号の電力の低下を検出することによって読み取り／書き込みデバイス３１付近にタグ３０が存在することを検出するように動作可能である。電力モニタは、比較的単純な態様で、例えばタグ３０の整流回路部３３と同様の単純な整流器を設けて出力信号６３（本例では単純な電圧からなる）を供給することによって実施され得る。６４で示される位置プロセッサに出力が供給され、この位置プロセッサは、図３では読み取り／書き込みデバイス３１の一部として示されるが、適宜に任意の他のデバイスまたは要素に設けられてもよいことは明らかである。
【手続補正７】
【補正対象書類名】明細書
【補正対象項目名】００３４
【補正方法】変更
【補正の内容】
【００３４】
本実施形態において、プリンタコントローラ７５は、ローラアセンブリ７１の動作によって紙シート７４の位置を把握しており、また、トラック７３上のプリントヘッド７２の位置も知っている。この情報は、位置プロセッサ６４に供給されるため、位置プロセッサ６４は、紙シート７４に対するアンテナ５１の位置を知っており、また、その位置における電力モニタ６２からの出力信号６３も受け取る。そして、位置プロセッサは図５に示されるように、ステップ８０において位置情報（この例ではプリントヘッド７２の位置ならびに紙の位置）を受け取る方法を行うことができる。ステップ８１において、プロセッサ６４は電力レベル情報、すなわち電力モニタ６２から受け取った電力信号６３を受け取る。ステップ８２に示すように、位置プロセッサは必要に応じてプロセスを繰り返し、ステップ８３に示されるように情報を格納することができる。次にステップ８４において、例えば位置プロセッサが出力をライン６５で印刷コントローラ７５へ、または必要に応じて他の方法で送ることによって、プリントヘッド７２または紙７４を移動させることができる。位置プロセッサ６４は、十分な情報を有する場合、タグ３０の適切な位置を示す推奨位置出力を生成することができる。
【手続補正８】
【補正対象書類名】明細書
【補正対象項目名】００３５
【補正方法】変更
【補正の内容】
【００３５】
図５の方法を望み通りに実施して、さらに読み取り／書き込みデバイス３１とタグ３０との間でできるだけ良好な結合を行うか、あるいは望み通りのまたは他の単純な基準を設けることができる。例えば、図５の方法のステップを繰り返して行い、プリントヘッドおよび紙を必要に応じて移動させる（８４）ことによって、タグ３０の位置が共振回路部５０から反射された信号の電力の最小値によって示される紙シート７４の２次元の「マップ」を作成できることは明らかであろう。タグに対応する最小値の各々の位置が分かるため、プリンタコントローラ７５に適切な命令を送ることによって、アンテナ５１が直接的にタグ３０を横切る位置へ、ローラ７１およびプリントヘッド７２を望み通りに移動させることができる。より単純な実施形態において、位置プロセッサ６４は単に、反射信号の電力が所与のレベルより下に下がり、タグ３０がアンテナ５１に十分に接近して十分な誘導結合をもたらすことを示すときを検出するようにして、タグ３０の位置を特定するためのさらなるステップを必ずしも行わない。これは、プリントヘッド７２に紙７４全体を連続するラインで繰り返し走査させ、反射される電力信号が閾値未満である期間中に各連続パスでタグ３０から読み取られるべきデータが書き込まれている状況に当てはまる。この場合、位置情報および電力情報を格納するステップは、省略されるか、あるいは位置情報および電力情報を格納し、要望に応じてタグ３０を再配置することを可能とするようにしてもよい。